(57)【要約】      （修正有）【課題】入力される映像に対して輪郭強調を最適に行う場合、最適なフィルタ周波数特性が異なる自然画及び文字等に対して、特別な回路を用いずにこれを両立させる投射型表示装置を提供する。【解決手段】符号化された映像を受信する符号化映像受信手段（ネットワーク端子１０４）と、符号化映像を後段の回路が処理可能な復号信号を得る復号化手段（デコーダー１０５）と、復号化信号に対して画像処理を行い、画像処理信号を得る映像処理回路１２１を有し、その画像処理信号を投射する液晶表示装置（プロジェクタ１）において、符号化信号の1フレーム当たりの容量と復号化信号の画素数の関係に応じて、画像処理手段におけるパラメータの変更を行う。【選択図】図１
2016143929.tif 000002
【特許請求の範囲】
【請求項１】
符号化された映像を受信する符号化映像受信手段と、
符号化映像を後段の回路が処理可能な復号信号を得る復号化手段と、
復号化信号に対して画像処理を行い、画像処理信号を得る画像処理手段を有し、
その画像処理信号を投射する液晶表示装置において、
符号化信号の1フレーム当たりの容量と復号化信号の画素数の関係に応じて、画像処理手段におけるパラメータの変更を行うことを特徴する液晶表示装置。
【請求項２】
復号化手段は、矩形毎に符号化された符号化信号に対して復号化を行い、矩形毎に符号化信号の1フレーム当たりの容量と復号化信号の解像度の関係に画像処理手段におけるパラメータの変更を行うことを特徴する請求項１に記載の液晶表示装置。
【請求項３】
前記画像処理手段におけるパラメータの変更は、輪郭強調処理のフィルタに関するパラメータであることを特徴とする請求項１又は請求項２に記載の表示装置。
【請求項４】
前記画像処理手段におけるパラメータの変更は、ノイズリダクションの強度に関するパラメータであることを特徴とする請求項１又は請求項２に記載の表示装置。
【請求項５】
前記画像処理手段におけるパラメータの変更は、表示装置と投射領域が正対しないことで生じる器楽歪みを補正する幾何学歪み補正有効時に、映像に対して処理されるフィルタに関するパラメータであることを特徴とする請求項１又は請求項２に記載の表示装置。
【請求項６】
符号化信号の1フレーム当たりの容量と復号化信号の画素数の関係に応じて、画像処理手段におけるあらかじめ保持される複数パラメータの切り替えを行うことを特徴とする請求項１乃至請求項５のいずれか１項に記載の表示装置。
【請求項７】
映像のシーンの切り替えを検出するシーンチェンジ検出手段を有し、画像処理手段におけるパラメータの変更は、シーンの切り替えを検出した場合に行うことを特徴とする請求項１乃至請求項６のいずれか１項に記載の表示装置。
【発明の詳細な説明】
【技術分野】
【０００１】
本発明は、投射型表示装置に関する。
【背景技術】
【０００２】
一般に、プロジェクタで投影する場合、ＰＣなどの映像出力端子と映像ケーブルで接続することで、ＰＣ映像が投射される。
【０００３】
一方、近年、複数のＰＣやプリンタなどを接続するネットワーク技術が発達しており、あらゆる機器、あらゆる場所においてネットワークに接続可能な環境が整いつつある。プロジェクタにおいても、ネットワーク機能を搭載し、同一ネットワークのＰＣからネットワーク転送される映像を投射する機能を搭載している。この機能により、搭載映像端子に制約されることなく、複数映像の切り替えや同時投射が可能になり、ネットワークによるデータ共有も組み合わせることで、飛躍的な機能向上が図られている。
【０００４】
一方、映像転送に使われるネットワークの帯域は、映像ケーブルの帯域に比べはるかに小さい。そのため、ＰＣの映像をネットワーク転送する場合、転送をおこなう、ＰＣアプリケーションにより投射したい映像の符号化を行い、ネットワークにおける占有帯域を小さくすることが一般的である。
【０００５】
このとき、映像ケーブルと同等の解像度の信号を転送するために、非可逆な符号化を行われる。
【０００６】
つまり、ＰＣ上で動作するアプリケーションにより、転送したい画面を非可逆な符号化を行い、他の必要なデータとともに、プロジェクタに転送する。その信号を受信したプロジェクタは、符号化された映像の復号化を行い、Ｕｉ値や信号の解像度に応じた画像処理を行い、投射する。
【０００７】
以上のようにして、映像ケーブルを用いない、ネットワーク転送による映像投射が実現されている。
【０００８】
一般に、プロジェクタにおける復号化の際、どのような符号化がされているかは考慮されず、どのような符号化がなされていても、後段の画像処理は、復号化された解像度に応じて他の信号と同等の処理がなされる。
【０００９】
たとえば、ＧＵＩより設定可能な輪郭強調処理も、ＰＣから転送される映像は、文字・グラフ・イラストなどの文書画像であっても、写真などの自然画像であっても、同等の処理が行われる。
しかしながら、輪郭強調処理に用いられるフィルタは、文書画像と自然画像に最適なフィルタが異なる。
【００１０】
一般に、文書画像に最適なフィルタを自然画像に対して適用すると過度な輪郭強調がなされ、自然画像に最適なフィルタを文書画像に適用すると、鮮明感が不足した映像となる。
【００１１】
それを解決するために、プレゼンテーションやフォトといった名称であらわされるイメージモードなどの設定に応じて、フィルタを切り替える手法が用いられる。しかしながら、これはユーザー操作を要し、自動化が望まれる。
【００１２】
そこで、特許文献１のように、画素パターンの解析により、フィルタを切り替える構成が提案されている。
【先行技術文献】
【特許文献】
【００１３】
【特許文献１】特許第４７６２１１５号明細書
【発明の概要】
【発明が解決しようとする課題】
【００１４】
しかしながら、イメージモードに応じてフィルタを切り替えることは、ユーザーに操作パネルやリモートコントローラ等の操作を要することであり、自動化が望まれる。また、プロジェクタに画素パターン解析のための機能を搭載する場合、それ相応のコストを要する。
【００１５】
そこで、画素パターン解析を行うようなコストを要さずに、フィルタを自動的に切り替えることが望まれる。
【００１６】
本発明の目的は、映像信号の種類に応じた最適な画像処理を行う表示装置を提供することにある。
【課題を解決するための手段】
【００１７】
その画像処理信号を投射する液晶表示装置において、
符号化信号の1フレーム当たりの容量と復号化信号の画素数の関係に応じて、画像処理手段におけるパラメータの変更を行うことを特徴する。
【発明の効果】
【００１８】
本発明によれば、映像信号の種類に応じた最適な画像処理行う表示装置の提供を実現できる。
【図面の簡単な説明】
【００１９】
【図１】本発明の実施例１、２、３における表示装置の構成
【図２】本発明の実施例１、２、３におけるＰＣアプリケーションの例
【図３】本発明の実施例１、２、３における構成されたネットワークの例
【図４】本発明の実施例１、２における転送映像の例
【図５】本発明の実施例１、２における転送映像の例
【図６】本発明の実施例１、２、３におけるＧＵＩの例
【図７】本発明の実施例１、２、３における輪郭強調のフィルタの例
【図８】本発明の実施例１、２、３における輪郭強調のフィルタの例
【図９】本発明の実施例１におけるキーストーン補正のためのフィルタの例
【図１０】本発明の実施例１におけるキーストーン補正のためのフィルタの例
【図１１】本発明の実施例２におけるａの制御の例
【図１２】本発明の実施例３における転送映像の例
【図１３】本発明の実施例３におけるブロック毎のフィルタの例
【発明を実施するための形態】
【００２０】
以下に、本発明の好ましい実施の形態を、添付の図面に基づいて詳細に説明する。
【００２１】
［実施例１］
図１は本発明の実施形態にかかわる表示装置である。以下、図１を参照して、本発明の第1の実施例による、プロジェクタ1について説明する。アナログ入力端子101やデジタル入力端子102などに入力された入力信号は、映像入力回路103で、信号種別の判別が行われ、アナログ映像信号であれば、Ａ／Ｄ変換が行われる。そして、画像処理回路121においては、液晶パネル123に解像度を合わせるスケーリング処理などのほか、メニューＵＩ値に応じた画像処理を行う。
【００２２】
具体的には、シャープネスＵＩ値に応じた輪郭強調処理、各種色処理、ノイズリダクション処理、キーストーン補正処理などが行われる。映像処理された信号は、パネル駆動回路122により、液晶パネル123を駆動可能な信号に変換されて投射される。
【００２３】
以上のようにして、アナログ入力端子101やデジタル入力端子102に接続された機器の映像が投射される。
【００２４】
次に、ネットワーク端子104に転送される映像を投射する場合について説明する。図２はネットワーク転送の転送元となるＰＣ1の例であり、図３のように接続されているとする。ＰＣ1はネットワーク端子204を有し、ハブやルーター、無線を介した接続を含め、ＰＣ2など他端末と各種通信が可能な状態とする。
【００２５】
このように接続されるＰＣ1は、手動、もしくは自動的に付与されるＩＰアドレスにより、接続された機器を識別することで、図３のように複数機器が接続されたネットワークにおいても目的の端末と通信可能となる。
【００２６】
同様にプロジェクタ1も、ネットワーク端子104を有し、PC1と異なるＩＰアドレスを、手動、もしくは自動的に付与することで、図のように複数機器が接続されたネットワークにおいて、PC1と通信が可能である。ネットワーク転送される映像を投射する場合、ＰＣは専用のＰＣアプリケーションを実行し、ＩＰアドレスなどによりプロジェクタ1を識別して接続を確立する。
【００２７】
そして、ＰＣアプリケーションは、画像取得部201で、ＰＣ1で表示されている画面など、転送したい画像を取得する。ここで、図３のようなネットワーク上を転送する場合、機器と１対１で専用の映像ケーブルを用いる場合と比べて、転送速度の確保が難しい。
【００２８】
そこで、ネットワーク転送可能な符号化レート以下にする必要があり、エンコーダ202により、ネットワーク転送可能な符号化レートにする。この符号化の具体的一例として、離散コサイン変換を用いるとする。
【００２９】
画像取得部201で取得した画像をブロック単位で離散コサイン変換を行い、その係数を量子化することで符号化レートを圧縮することができる。量子化の際の量子化ステップにより平均的な圧縮率が決まり、ほとんどの場合、同一画像であれば、量子化ステップが粗いほど符号化後の容量は小さくなり、密であれば符号化後の容量は大きくなる。量子化精度は、量子化係数指示部203により指示される。量子化係数指示部203は、ＰＣアプリケーションのユーザー操作で量子化精度を決定する。
【００３０】
エンコーダ202においては、決定された量子化精度で定常的にエンコードが行われ、画像によって符号化後の容量が変化する。
【００３１】
具体的には、図４のような文字・グラフ・イラストなどの文書画像は、符号化後の容量は小さくなり、図５ようなの写真などの自然画像は、符号化後の容量は大きくなる。そうして符号化された映像データは、プロジェクタ1を含むＩＰアドレス宛にネットワーク端子203から送信する。
【００３２】
プロジェクタ1は、ネットワーク端子104より、自らのＩＰアドレス宛の符号化された映像データを受信する。受信された符号化された映像データは、デコーダー105により、逆離散コサイン変換を行い画像処理回路121が処理可能な信号に変換する。
【００３３】
このとき得られる信号は、PCアプリケーションの画像取得部で得られた解像度と同じ解像度の情報が得られる。コントローラ111は、デコーダー105により、符号化信号の容量と、デコード信号解像度を取得する。そして、映像処理回路において、信号解像度やＧＵＩの設定によって行われる通常の映像ケーブル接続時の画像処理に加え、画像処理デコード信号解像度と符号化信号容量の比に応じて、設定するパラメータを変更する。
【００３４】
たとえば、図６のようなシャープネスなどのＧＵＩから輪郭強調を行う設定がなされたとする。このような輪郭強調処理は、映像処理回路121で入力される信号に対して、図７や図８のような特定の周波数特性を持つフィルタ演算を行う。
【００３５】
この輪郭強調処理において、写真などの自然画像に最適な周波数特性のフィルタ演算を、文字・グラフ・イラストなどの文書画像などに対して適用すると、文字のエッジがなまるなどの画質劣化を伴う。反対に、文字・グラフ・イラストなどの文書画像に最適な周波数特性のフィルタ演算を、写真などの自然画像に対して適用すると、局所的な不自然な輪郭強調になるなどの画質劣化を伴う。
【００３６】
そこで、そのときのデコード信号の横解像度をＨ、横解像度をＶ、符号化信号容量をＤとして、Ｄ／（Ｈ×Ｖ）≦Ｔの場合に、文字・グラフ・イラストなどの文書画像に最適な周波数特性のフィルタ、たとえば図７のような周波数特性を持つフィルタ演算を行う。そして、Ｄ／（Ｈ×Ｖ）＞Ｔの場合、写真などの自然画像に最適な周波数特性のフィルタ、図８のような周波数特性を持つフィルタ演算を行う。
【００３７】
ここで、Ｔは、文字・グラフ・イラストなどの文書画像のＤ／（Ｈ×Ｖ）の平均的な値より大きく、写真などの自然画像の平均的なＤ／（Ｈ×Ｖ）の値より小さい値とする。表示装置の画像処理のひとつに、プロジェクタ１が投射領域と正対しないことで発生する幾何学歪みを補正する幾何学歪み補正機能があり、そのひとつにキーストーン補正などがある。
【００３８】
キーストーン補正を行う場合、傾いて設置されて投射領域が台形となる領域内で表示画素位置の座標変換により、歪み補正を行う。このとき、折り返しひずみ発生を抑制するために、変換前の画像に対して図９や図１０のようなフィルタ演算を行う。このとき、折り返しひずみがなくなるフィルタ演算を行うと、輪郭がなまり、特に文書画像などに対して適用すると視認性を大きく損なう。
【００３９】
そこで、Ｄ／（Ｈ×Ｖ）≦Ｔの場合に、文書画像に最適な周波数特性のフィルタ、たとえば図９のような周波数特性を持つフィルタ演算を行う。そして、Ｄ／（Ｈ×Ｖ）＞Ｔの場合、自然画像に最適な周波数特性のフィルタ、図１０のような周波数特性を持つフィルタ演算を行う。さらに、表示装置の画像処理のひとつにノイズリダクション補正がある。
【００４０】
これは入力信号内に検出されるノイズ量に応じたノイズ除去ゲインを乗じた低域通過フィルタによりフィルタ演算することで、高周波ノイズを除去する機能である。しかし、ある文書画像と、自然画像において検出されるノイズ量が同等であっても、同様のノイズ除去ゲインでノイズ除去を行うと、文書画像の文字の輪郭は大きく失われ視認性を損なう。
【００４１】
そこで、Ｄ／（Ｈ×Ｖ）≦Ｔの場合と比べ、Ｄ／（Ｈ×Ｖ）＞Ｔと比べノイズ除去ゲインを小さくする。復号化映像に応じて、自然画像に最適なノイズ除去ゲインと文書画像に最適なノイズ除去ゲインを切り替えることが可能となる。
【００４２】
以上のようにして、符号化後の容量と復号化される解像度の関係により、文書画像に最適なパラメータと、自然画像に最適なパラメータを自動的に切り替えることで、ユーザー操作を必要とすることなく高画質化が可能となる。
【００４３】
［実施例２］
実施例１と同様、以下、図１を参照して、本発明の第２の実施例による、プロジェクタ1について説明する。アナログ入力端子101やデジタル入力端子102などに入力された入力信号は、映像入力回路103で、信号種別の判別が行われ、アナログ映像信号であれば、Ａ／Ｄ変換が行われる。そして、画像処理回路121においては、液晶パネル123に解像度を合わせるスケーリング処理などのほか、メニューＵＩ値に応じた画像処理を行う。
【００４４】
具体的には、シャープネスＵＩ値に応じた輪郭強調処理、各種色処理、ノイズリダクション処理、キーストーン補正処理などが行われる。映像処理された信号は、パネル駆動回路122により、液晶パネル123を駆動可能な信号に変換されて投射される。
【００４５】
以上のようにして、アナログ入力端子101やデジタル入力端子102に接続された機器の映像が投射される。
【００４６】
次に、ネットワーク端子104に転送される映像を投射する場合について説明する。図２はネットワーク転送の転送元となるＰＣ1の例であり、図３のように接続されているとする。ＰＣ1はネットワーク端子204を有し、ハブやルーター、無線を介した接続を含め、ＰＣ2など他端末と各種通信が可能な状態とする。
【００４７】
このように接続されるＰＣ1は、手動、もしくは自動的に付与されるＩＰアドレスにより、接続された機器を識別することで、図３のように複数機器が接続されたネットワークにおいても目的の端末と通信可能となる。
【００４８】
同様にプロジェクタ1も、ネットワーク端子104を有し、PC1と異なるＩＰアドレスを、手動、もしくは自動的に付与することで、図のように複数機器が接続されたネットワークにおいて、PC1と通信が可能である。ネットワーク転送される映像を投射する場合、ＰＣは専用のＰＣアプリケーションを実行し、ＩＰアドレスなどによりプロジェクタ1を識別して接続を確立する。
【００４９】
そして、ＰＣアプリケーションは、画像取得部201で、ＰＣ1で表示されている画面など、転送したい画像を取得する。ここで、図3のようなネットワーク上を転送する場合、機器と１対１で専用の映像ケーブルを用いる場合と比べて、転送速度の確保が難しい。
【００５０】
そこで、ネットワーク転送可能な符号化レート以下にする必要があり、エンコーダ202により、ネットワーク転送可能な符号化レートにする。この符号化の具体的一例として、離散コサイン変換を用いるとする。画像取得部201で取得した画像をブロック単位で離散コサイン変換を行い、その係数を量子化することで符号化レートを圧縮することができる。量子化の際の量子化ステップにより平均的な圧縮率が決まり、ほとんどの場合、同一画像であれば、量子化ステップが粗いほど符号化後の容量は小さくなり、密であれば符号化後の容量は大きくなる。
【００５１】
量子化精度は、量子化係数指示部203により指示される。量子化係数指示部203は、ＰＣアプリケーションのユーザー操作で量子化精度を決定する。エンコーダ202においては、決定された量子化精度で定常的にエンコードが行われ、画像によって符号化後の容量が変化する。
【００５２】
具体的には、図４のような文字・グラフ・イラストなどの文書画像は、符号化後の容量は小さくなり、図５ようなの写真などの自然画像は、符号化後の容量は大きくなる。そうして符号化された映像データは、プロジェクタ1を含むＩＰアドレス宛にネットワーク端子203から送信する。プロジェクタ1は、ネットワーク端子104より、自らのＩＰアドレス宛の符号化された映像データを受信する。受信された符号化された映像データは、デコーダー105により、逆離散コサイン変換を行い画像処理回路121が処理可能な信号に変換する。
【００５３】
このとき得られる信号は、PCアプリケーションの画像取得部で得られた解像度と同じ解像度の情報が得られる。コントローラ111は、デコーダー105により、符号化信号の容量と、デコード信号解像度を取得する。そして、映像処理回路において、信号解像度やＧＵＩの設定によって行われる通常の映像ケーブル接続時の画像処理に加え、画像処理デコード信号解像度と符号化信号容量の比に応じて、設定するパラメータを変更する。
【００５４】
たとえば、図６のようなシャープネスなどのＧＵＩから輪郭強調を行う設定がなされたとする。このような輪郭強調処理は、映像処理回路121で、映像処理回路121に入力される信号に対して、図７や図８のような特定の周波数特性を持つフィルタ演算を行う。この輪郭強調処理において、写真などの自然画像に最適な周波数特性のフィルタ演算を、文字・グラフ・イラストなどの文書画像などに対して適用すると、文字のエッジがなまるなどの画質劣化を伴う。
【００５５】
反対に、文字・グラフ・イラストなどの文書画像に最適な周波数特性のフィルタ演算を、写真などの自然画像に対して適用すると、局所的な不自然な輪郭強調になるなどの画質劣化を伴う。文字・グラフ・イラストなどの文書画像に最適な周波数特性のフィルタを図７のようなGainP(f)、写真などの自然画像に最適な周波数特性のフィルタを図８のようなGainG(f)とする。
【００５６】
そこで、映像信号のデコード信号の横解像度をＨ、横解像度をＶ、符号化信号容量をＤとして、Ｄ／（Ｈ×Ｖ）の値に応じて、GainP(f)に近い周波数特性のフィルタとするか、GainG(f)に近い周波数特性のフィルタとするかを決定する。具体的に適用されるフィルタの周波数特性を下記のように定まるとする。
【００５７】
Gain(f)＝ａ×GainG(f)＋（１−ａ）×GainP(f)
そして、ａは、図１１のようにＤ／（Ｈ×Ｖ）≦Ｔが大きいほど大きくなるようにして、フィルタ演算を行うことで、文書画像が多いほど、または文書画像に近い映像ほど、GainP(f)の特性になるように制御することが可能となる。
【００５８】
上述のパラメータの切り替え、もしくは値の変更は、検出されるシーンチェンジなどのタイミングに限定、もしくは変化量を大きくするように制御することで、パラメータ変更をユーザーに目視しづらくすることで、映像視認時の違和感を減らすことができる。
【００５９】
以上のようにして、符号化後容量と復号化される解像度の関係により、文書画像に最適なパラメータから自然画像に最適なパラメータの間で自動的に制御することで、ユーザー操作を必要とすることなく高画質化が可能となる。
【００６０】
［実施例３］
実施例１と同様、以下、図１を参照して、本発明の第２の実施例による、プロジェクタ1について説明する。
【００６１】
以下、図１を参照して、本発明の第1の実施例による、プロジェクタ1について説明する。アナログ入力端子101やデジタル入力端子102などに入力された入力信号は、映像入力回路103で、信号種別の判別が行われ、アナログ映像信号であれば、Ａ／Ｄ変換が行われる。そして、画像処理回路121においては、液晶パネル123に解像度を合わせるスケーリング処理などのほか、メニューＵＩ値に応じた画像処理を行う。
【００６２】
具体的には、シャープネスＵＩ値に応じた輪郭強調処理、各種色処理、ノイズリダクション処理、キーストーン補正処理などが行われる。映像処理された信号は、パネル駆動回路122により、液晶パネル123を駆動可能な信号に変換されて投射される。
【００６３】
以上のようにして、アナログ入力端子101やデジタル入力端子102に接続された機器の映像が投射される。
【００６４】
次に、ネットワーク端子104に転送される映像を投射する場合について説明する。図２はネットワーク転送の転送元となるＰＣ1の例であり、図３のように接続されているとする。ＰＣ1はネットワーク端子204を有し、ハブやルーター、無線を介した接続を含め、ＰＣ2など他端末と各種通信が可能な状態とする。
【００６５】
このように接続されるＰＣ1は、手動、もしくは自動的に付与されるＩＰアドレスにより、接続された機器を識別することで、図３のように複数機器が接続されたネットワークにおいても目的の端末と通信可能となる。
【００６６】
同様にプロジェクタ1も、ネットワーク端子104を有し、ＰＣ１と異なるＩＰアドレスを、手動、もしくは自動的に付与することで、図３のように複数機器が接続されたネットワークにおいて、PC1と通信が可能である。ネットワーク転送される映像を投射する場合、ＰＣは専用のＰＣアプリケーションを実行し、ＩＰアドレスなどによりプロジェクタ1を識別して接続を確立する。そして、ＰＣアプリケーションは、画像取得部201で、ＰＣ１で表示されている画面など、転送したい画像を取得する。
【００６７】
ここで、図３のようなネットワーク上を転送する場合、機器と１対１で専用の映像ケーブルを用いる場合と比べて、転送速度の確保が難しい。そこで、ネットワーク転送可能な符号化レート以下にする必要があり、エンコーダ202により、ネットワーク転送可能な符号化レートにする。この符号化の具体的一例として、離散コサイン変換を用いるとする。
【００６８】
画像取得部201で取得した画像をブロック単位で離散コサイン変換を行い、その係数を量子化することで符号化レートを圧縮することができる。量子化の際の量子化ステップにより平均的な圧縮率が決まり、ほとんどの場合、同一画像であれば、量子化ステップが粗いほど符号化後の容量は小さくなり、密であれば符号化後の容量は大きくなる。量子化精度は、量子化係数指示部203により指示される。量子化係数指示部203は、ＰＣアプリケーションのユーザー操作で量子化精度を決定する。エンコーダ202においては、決定された量子化精度で定常的にエンコードが行われ、画像によって符号化後の容量が変化する。
【００６９】
具体的に、図１２のような映像のうち、文字・グラフ・イラストなどを多く含む文書画像のブロックは、符号化後の容量は小さくなり、写真などの自然画像を多く含むブロックは、符号化後の容量は大きくなる。
【００７０】
図１３はそのときの容量を示したものである。そうして符号化された映像データは、プロジェクタ1を含むＩＰアドレス宛にネットワーク端子203から送信する。プロジェクタ1は、ネットワーク端子104より、自らのＩＰアドレス宛の符号化された映像データを受信する。受信された符号化された映像データは、デコーダー105により、逆離散コサイン変換を行い画像処理回路121が処理可能な信号に変換する。このとき得られる信号は、PCアプリケーションの画像取得部で得られた解像度と同じ解像度の情報が得られる。
【００７１】
その際、前述のような離散コサイン変換のようにブロック毎で符号化されている場合、復号化される信号もブロック毎に復号化される。コントローラ111は、デコーダー105により、符号化信号の容量と、デコード信号のブロックサイズを取得する。そして、映像処理回路において、信号解像度やＧＵＩの設定によって行われる通常の映像ケーブル接続時の画像処理に加え、画像処理デコード信号解像度と符号化信号容量の比に応じて、設定するパラメータを変更する。
【００７２】
たとえば、図６のようなシャープネスなどのＧＵＩIから輪郭強調を行う設定がなされたとする。このような輪郭強調処理は、映像処理回路121で、映像処理回路121に入力される信号に対して、ブロック毎に図７や図８のような特定の周波数特性を持つフィルタ演算を行う。
【００７３】
この輪郭強調処理において、写真などの自然画像に最適な周波数特性のフィルタ演算を、文字・グラフ・イラストなどの文書画像などに対して適用すると、文字のエッジがなまるなどの画質劣化を伴う。反対に、文字・グラフ・イラストなどの文書画像に最適な周波数特性のフィルタ演算を、写真などの自然画像に対して適用すると、局所的な不自然な輪郭強調になるなどの画質劣化を伴う。
【００７４】
文字・グラフ・イラストなどの文書画像に最適な周波数特性のフィルタを図７のようなGainP(f)、写真などの自然画像に最適な周波数特性のフィルタを図８のようなGainG(f)とする。
【００７５】
そこで、ブロック毎のデコード信号の横解像度をＨ、横解像度をＶ、符号化信号容量をＤとして、Ｄ／（Ｈ×Ｖ）の値に応じて、GainP(f)に近い周波数特性のフィルタとするか、GainG(f)に近い周波数特性のフィルタとするかを決定する。具体的に適用されるフィルタの周波数特性を下記のように定まるとする。
【００７６】
Gain(f)＝ａ×GainG(f)＋（１−ａ）×GainP(f)
そして、ａは、図１１のようにＤ／（Ｈ×Ｖ）が大きいほど大きくなるようにして、フィルタ演算を行うことで、文書画像が多いほど、または文書画像に近い映像ほど、GainP(f)の特性になるように制御することが可能となる。
【００７７】
図１２のような映像に対して、文書画像が多いブロックがすべてＤ／（Ｈ×Ｖ）＜ＴGとなり、そうでない領域がすべてＴP＜Ｄ／（Ｈ×Ｖ）となった場合の、各領域のフィルタを図１３に示す。ここで、Ｇの領域はGainG(f)、Ｐの領域はＧ：GainP(f)のフィルタが適用されることを示す。
【００７８】
この際、ブロック間の境界付近で異なる輪郭強調処理となることを防ぐため、画素の位置に応じて、隣接するブロックａの値との間で補間演算を行うことで、画素ごとにａを求めることで、視認性を向上させることができる。
【００７９】
以上のようにして、符号化後の容量と復号化される解像度の関係により、文書画像に最適なパラメータと、自然画像に最適なパラメータを自動的に切り替えることで、ユーザー操作を必要とすることなく高画質化が可能となる。
【００８０】
以上、本発明の好ましい実施形態について説明したが、本発明はこれらの実施形態に限定されず、その要旨の範囲内で種々の変形及び変更が可能である。
【符号の説明】
【００８１】
1  プロジェクタ、101  アナログ入力端子、102  デジタル入力端子、
103  映像入力回路、121  画像処理回路、123  液晶パネル
【図１】
2016143929.tif 000003
【図２】
2016143929.tif 000004
【図３】
2016143929.tif 000005
【図４】
2016143929.tif 000006
【図５】
2016143929.tif 000007
【図６】
2016143929.tif 000008
【図７】
2016143929.tif 000009
【図８】
2016143929.tif 000010
【図９】
2016143929.tif 000011
【図１０】
2016143929.tif 000012
【図１１】
2016143929.tif 000013
【図１２】
2016143929.tif 000014
【図１３】
2016143929.tif 000015